(57)【要約】【課題】最適な構図の判断を容易にする。【解決手段】印刷アスペクト比が通常の４：３である状態で、アスペクト比３：１のプリント用紙２００をセットし、印刷アスペクト比を３：１に設定変更すると、その情報が、システムコントローラ１１５に出力され、コントローラ１１５は、印刷アスペクト比３：１と同じアスペクト比になるように表示回路１１８に制御信号を出力し、表示回路１１８は、画像表示ＬＣＤ１５に表示すべき画面表示アスペクト比がアスペクト比３：１と同じになるようなアスペクト比変更処理を行う。このアスペクト比変更処理は、例えば、画像表示ＬＣＤ１５の表示画面の上下部分に黒色のマスク処理を施すことで、見かけ上、プリント用紙のアスペクト比３：１と同じになるようにすることでなされる。【選択図】　　図４
2004104498.tif 000002
【特許請求の範囲】
【請求項１】
被写体を撮像して画像を得る撮像手段と、
前記撮像手段により得られた画像を表示する表示部と、
前記撮像手段により得られた画像を印刷する印刷手段と、
前記印刷手段により印刷される画像のアスペクト比を設定する印刷アスペクト比設定手段と、
前記印刷アスペクト比設定手段により設定されたアスペクト比に応じて、前記表示部に表示される画像のアスペクト比を変更する表示アスペクト比変更手段とを有することを特徴とする撮像装置。
【請求項２】
被写体を撮像して画像を得る撮像手段と、
前記撮像手段により得られた画像を表示する表示部と、
前記撮像手段により得られた画像を印刷する印刷手段と、
前記印刷手段で用いられる印刷用紙が装着される用紙装着手段と、
前記用紙装着手段に装着された印刷用紙のアスペクト比を検出する用紙アスペクト比検出手段と、
前記用紙アスペクト比検出手段により検出された印刷用紙のアスペクト比に応じて、前記表示部に表示される画像のアスペクト比を変更する表示アスペクト比変更手段とを有することを特徴とする撮像装置。
【請求項３】
前記用紙装着手段には、アスペクト比情報が予め付加された用紙カートリッジが装着されることで前記印刷用紙が装着され、前記用紙アスペクト比検出手段は、前記用紙カートリッジに付加されたアスペクト比情報に基づいて前記印刷用紙のアスペクト比を検出することを特徴とする請求項２記載の撮像装置。
【請求項４】
前記表示アスペクト比変更手段は、前記表示部に表示される画像にマスク処理を施すことでアスペクト比を変更することを特徴とする請求項１〜３のいずれか１項に記載の撮像装置。
【請求項５】
被写体を撮像して画像を得る撮像手段と、
前記撮像手段により撮像しようとする被写体の像を表示する光学的ビューファインダ部と、
前記光学的ビューファインダ部内に領域を認識させるための領域表示を行う領域表示手段と、
前記撮像手段により得られた画像を印刷する印刷手段と、
前記印刷手段により印刷される画像のアスペクト比を設定する印刷アスペクト比設定手段と、
前記印刷アスペクト比設定手段により設定されたアスペクト比に応じて、前記領域表示手段によって前記光学的ビューファインダ部内に表示される領域表示を変更する領域表示変更手段とを有することを特徴とする撮像装置。
【請求項６】
被写体を撮像して画像を得る撮像手段と、
前記撮像手段により撮像しようとする被写体の像を表示する光学的ビューファインダ部と、
前記光学的ビューファインダ部内に領域を認識させるための領域表示を行う領域表示手段と、
前記撮像手段により得られた画像を印刷する印刷手段と、
前記印刷手段で用いられる印刷用紙が装着される用紙装着手段と、
前記用紙装着手段に装着された印刷用紙のアスペクト比を検出する用紙アスペクト比検出手段と、
前記用紙アスペクト比検出手段により検出された印刷用紙のアスペクト比に応じて、前記領域表示手段によって前記光学的ビューファインダ部内に表示される領域表示を変更する領域表示変更手段とを有することを特徴とする撮像装置。
【請求項７】
前記用紙装着手段には、アスペクト比情報が予め付加された用紙カートリッジが装着されることで前記印刷用紙が装着され、前記用紙アスペクト比検出手段は、前記用紙カートリッジに付加されたアスペクト比情報に基づいて前記印刷用紙のアスペクト比を検出することを特徴とする請求項６記載の撮像装置。
【請求項８】
前記領域表示手段による領域表示は、前記光学的ビューファインダ部内に所定の枠を表示することでなされることを特徴とする請求項５〜７のいずれか１項に記載の撮像装置。
【請求項９】
被写体を撮像して画像を得る撮像手段と、前記撮像手段により得られた画像を表示する表示部と、前記撮像手段により得られた画像を印刷する印刷手段とを有する撮像装置を制御する撮像装置の制御方法であって、
前記印刷手段により印刷される画像のアスペクト比を設定する印刷アスペクト比設定ステップと、
前記印刷アスペクト比設定ステップにより設定されたアスペクト比に応じて、前記表示部に表示される画像のアスペクト比を変更する表示アスペクト比変更ステップとを有することを特徴とする撮像装置の制御方法。
【請求項１０】
被写体を撮像して画像を得る撮像手段と、前記撮像手段により得られた画像を表示する表示部と、前記撮像手段により得られた画像を印刷する印刷手段と、前記印刷手段で用いられる印刷用紙が装着される用紙装着手段とを有する撮像装置を制御する撮像装置の制御方法であって、
前記用紙装着手段に装着された印刷用紙のアスペクト比を検出する用紙アスペクト比検出ステップと、
前記用紙アスペクト比検出ステップにより検出された印刷用紙のアスペクト比に応じて、前記表示部に表示される画像のアスペクト比を変更する表示アスペクト比変更ステップとを有することを特徴とする撮像装置の制御方法。
【請求項１１】
被写体を撮像して画像を得る撮像手段と、前記撮像手段により撮像しようとする被写体の像を表示する光学的ビューファインダ部と、前記光学的ビューファインダ部内に領域を認識させるための領域表示を行う領域表示手段と、前記撮像手段により得られた画像を印刷する印刷手段とを有する撮像装置を制御する撮像装置の制御方法であって、
前記印刷手段により印刷される画像のアスペクト比を設定する印刷アスペクト比設定ステップと、
前記印刷アスペクト比設定ステップにより設定されたアスペクト比に応じて、前記領域表示手段によって前記光学的ビューファインダ部内に表示される領域表示を変更する領域表示変更ステップとを有することを特徴とする撮像装置の制御方法。
【請求項１２】
被写体を撮像して画像を得る撮像手段と、前記撮像手段により撮像しようとする被写体の像を表示する光学的ビューファインダ部と、前記光学的ビューファインダ部内に領域を認識させるための領域表示を行う領域表示手段と、前記撮像手段により得られた画像を印刷する印刷手段と、前記印刷手段で用いられる印刷用紙が装着される用紙装着手段とを有する撮像装置を制御する撮像装置の制御方法であって、
前記用紙装着手段に装着された印刷用紙のアスペクト比を検出する用紙アスペクト比検出ステップと、
前記用紙アスペクト比検出ステップにより検出された印刷用紙のアスペクト比に応じて、前記領域表示手段によって前記光学的ビューファインダ部内に表示される領域表示を変更する領域表示変更ステップとを有することを特徴とする撮像装置の制御方法。
【発明の詳細な説明】
【０００１】
【発明の属する技術の分野】
本発明は、被写体を撮像して得た画像を印刷出力可能な撮像装置及びその制御方法に関する。
【０００２】
【従来の技術】
近年、ＣＣＤ等の撮像素子を用いて被写体像を撮像し、その撮像によって得られた撮像画像をメモリカード等の記録媒体に記録することができる電子カメラ装置等の撮像装置が種々開発されている。
【０００３】
このような撮像装置には、被写体像のモニタ表示等のために、液晶等の表示部や光学的ビューファインダ部を備えているものも多い。また、撮像画像を記録媒体を介してビデオプリンタ等に入力することにより、容易にその画像をプリント出力することができるものも存在する。さらには、最近では、撮像したその場で撮像画像をプリント出力できるようにするために、プリンタ機構を内蔵した撮像装置の開発も進められている。
【０００４】
このプリンタ機構を内蔵した撮像装置においては一般に、アスペクト比３：２の通常の印刷用紙や、アスペクト比１６：９のワイドテレビ型の用紙、アスペクト比３：１のパノラマ型の用紙等、様々な印刷用紙をプリンタ機構部に装着可能になっている。
【０００５】
【発明が解決しようとする課題】
しかしながら、液晶表示部や光学的ビューファインダ部での画像表示は、常に固定的なアスペクト比（例えば、４：３）で行われるため、使用者にとっては、表示されている画像のどの領域が実際に印刷されるのかがわからず、撮像や印刷の際、構図をうまく決められないという問題があった。
【０００６】
本発明は上記従来技術の問題を解決するためになされたものであり、その目的は、最適な構図の判断を容易にすることができる撮像装置及びその制御方法を提供することにある。
【０００７】
【課題を解決するための手段】
上記目的を達成するために本発明の請求項１の撮像装置は、被写体を撮像して画像を得る撮像手段と、前記撮像手段により得られた画像を表示する表示部と、前記撮像手段により得られた画像を印刷する印刷手段と、前記印刷手段により印刷される画像のアスペクト比を設定する印刷アスペクト比設定手段と、前記印刷アスペクト比設定手段により設定されたアスペクト比に応じて、前記表示部に表示される画像のアスペクト比を変更する表示アスペクト比変更手段とを有することを特徴とする。
【０００８】
上記目的を達成するために本発明の請求項２の撮像装置は、被写体を撮像して画像を得る撮像手段と、前記撮像手段により得られた画像を表示する表示部と、前記撮像手段により得られた画像を印刷する印刷手段と、前記印刷手段で用いられる印刷用紙が装着される用紙装着手段と、前記用紙装着手段に装着された印刷用紙のアスペクト比を検出する用紙アスペクト比検出手段と、前記用紙アスペクト比検出手段により検出された印刷用紙のアスペクト比に応じて、前記表示部に表示される画像のアスペクト比を変更する表示アスペクト比変更手段とを有することを特徴とする。
【０００９】
上記目的を達成するために本発明の請求項５の撮像装置は、被写体を撮像して画像を得る撮像手段と、前記撮像手段により撮像しようとする被写体の像を表示する光学的ビューファインダ部と、前記光学的ビューファインダ部内に領域を認識させるための領域表示を行う領域表示手段と、前記撮像手段により得られた画像を印刷する印刷手段と、前記印刷手段により印刷される画像のアスペクト比を設定する印刷アスペクト比設定手段と、前記印刷アスペクト比設定手段により設定されたアスペクト比に応じて、前記領域表示手段によって前記光学的ビューファインダ部内に表示される領域表示を変更する領域表示変更手段とを有することを特徴とする。
【００１０】
上記目的を達成するために本発明の請求項６の撮像装置は、被写体を撮像して画像を得る撮像手段と、前記撮像手段により撮像しようとする被写体の像を表示する光学的ビューファインダ部と、前記光学的ビューファインダ部内に領域を認識させるための領域表示を行う領域表示手段と、前記撮像手段により得られた画像を印刷する印刷手段と、前記印刷手段で用いられる印刷用紙が装着される用紙装着手段と、前記用紙装着手段に装着された印刷用紙のアスペクト比を検出する用紙アスペクト比検出手段と、前記用紙アスペクト比検出手段により検出された印刷用紙のアスペクト比に応じて、前記領域表示手段によって前記光学的ビューファインダ部内に表示される領域表示を変更する領域表示変更手段とを有することを特徴とする。
【００１１】
上記目的を達成するために本発明の請求項９の撮像装置の制御方法は、被写体を撮像して画像を得る撮像手段と、前記撮像手段により得られた画像を表示する表示部と、前記撮像手段により得られた画像を印刷する印刷手段とを有する撮像装置を制御する撮像装置の制御方法であって、前記印刷手段により印刷される画像のアスペクト比を設定する印刷アスペクト比設定ステップと、前記印刷アスペクト比設定ステップにより設定されたアスペクト比に応じて、前記表示部に表示される画像のアスペクト比を変更する表示アスペクト比変更ステップとを有することを特徴とする。
【００１２】
上記目的を達成するために本発明の請求項１０の撮像装置の制御方法は、被写体を撮像して画像を得る撮像手段と、前記撮像手段により得られた画像を表示する表示部と、前記撮像手段により得られた画像を印刷する印刷手段と、前記印刷手段で用いられる印刷用紙が装着される用紙装着手段とを有する撮像装置を制御する撮像装置の制御方法であって、前記用紙装着手段に装着された印刷用紙のアスペクト比を検出する用紙アスペクト比検出ステップと、前記用紙アスペクト比検出ステップにより検出された印刷用紙のアスペクト比に応じて、前記表示部に表示される画像のアスペクト比を変更する表示アスペクト比変更ステップとを有することを特徴とする。
【００１３】
上記目的を達成するために本発明の請求項１１の撮像装置の制御方法は、被写体を撮像して画像を得る撮像手段と、前記撮像手段により撮像しようとする被写体の像を表示する光学的ビューファインダ部と、前記光学的ビューファインダ部内に領域を認識させるための領域表示を行う領域表示手段と、前記撮像手段により得られた画像を印刷する印刷手段とを有する撮像装置を制御する撮像装置の制御方法であって、前記印刷手段により印刷される画像のアスペクト比を設定する印刷アスペクト比設定ステップと、前記印刷アスペクト比設定ステップにより設定されたアスペクト比に応じて、前記領域表示手段によって前記光学的ビューファインダ部内に表示される領域表示を変更する領域表示変更ステップとを有することを特徴とする。
【００１４】
上記目的を達成するために本発明の請求項１２の撮像装置の制御方法は、被写体を撮像して画像を得る撮像手段と、前記撮像手段により撮像しようとする被写体の像を表示する光学的ビューファインダ部と、前記光学的ビューファインダ部内に領域を認識させるための領域表示を行う領域表示手段と、前記撮像手段により得られた画像を印刷する印刷手段と、前記印刷手段で用いられる印刷用紙が装着される用紙装着手段とを有する撮像装置を制御する撮像装置の制御方法であって、前記用紙装着手段に装着された印刷用紙のアスペクト比を検出する用紙アスペクト比検出ステップと、前記用紙アスペクト比検出ステップにより検出された印刷用紙のアスペクト比に応じて、前記領域表示手段によって前記光学的ビューファインダ部内に表示される領域表示を変更する領域表示変更ステップとを有することを特徴とする。
【００１５】
【発明の実施の形態】
以下、本発明の実施の形態を図面を参照して説明する。
【００１６】
（第１の実施の形態）
図１は、本発明の第１の実施の形態に係る撮像装置の外観図である。図２は、図１のＡ−Ａ線に沿う断面を上方からみた図であり、要部のみが抽出して示されている。本撮像装置は、プリンタ一体型の電子カメラとして構成される。
【００１７】
本撮像装置１１は、感光式プリンタ、あるいは昇華型プリンタ、あるいはインクジェット式プリンタを内蔵したデジタルスチルカメラであり、ＣＣＤ等の固体撮像素子（後述する撮像素子１１２）を用いて被写体像を撮像して記録媒体（後述するメモリカード１００等）に記録するだけでなく、その撮像画像を記録媒体に記録せずに直接的にプリント出力したり、記録媒体に記録されている撮像済みの画像データをプリント出力したりすることができる。
【００１８】
図１に示すように、撮像装置１１には、レリーズスイッチ（シャッタボタン）１２、プリントスイッチ１３、光学ビューファインダ１４、画像表示ＬＣＤ１５、プリントカートリッジ交換蓋１８、用紙排出口１９等が設けられている。レリーズスイッチ１２は撮像実行を指示するための操作ボタンである。プリントスイッチ１３は、撮像した画像の印刷実行を指示するのに用いられる。光学ビューファインダ１４は、被写体像を光学的に表示し、後述する撮像画像と同等の画角で被写体像を見ることができるようになっている。画像表示ＬＣＤ１５は、撮像画像を表示する。
【００１９】
図２に示すように、撮像装置１１の前部には撮影レンズ部２１が取り付けられており、撮像装置１１の本体内部には、各種電子部品が実装されたプリント基板２２、及びプリンタ部２３が収容されている。プリンタ部２３は前述した内蔵プリンタとして機能するものである。後述するように、プリンタ部２３にはプリントカートリッジ２０７が装着されるほか、印刷に関する各種機構が備えられる。
【００２０】
プリントカートリッジ２０７には、複数枚のプリント用紙２００が収容されている。このプリントカートリッジ２０７は、撮像装置１１の本体に対して取り外し自在に装着できるように着脱式に構成され、撮像装置１１の背面にあるプリントカートリッジ交換蓋１８を開けることによって交換することができる。従って、プリント用紙２００の補給はプリントカートリッジ２０７の交換という形態で行われる。
【００２１】
印刷時には、プリンタ部２３に設けられた不図示の搬送機構によってプリントカートリッジ２０７からプリント用紙２００が１枚ずつ取り出され、用紙排出口１９に向けて搬送されながら印刷機構によって順次印刷される。印刷されたプリント用紙２００は用紙排出口１９から排出される。用紙排出口１９には、用紙排出口シャッタ２４が設けられている。印刷時以外は用紙排出口シャッタ２４を閉じることにより、外部からの塵や埃の進入を防ぐことができる。
【００２２】
図３は、本撮像装置のシステム構成を示すブロック図である。
【００２３】
撮像装置１１には、前述したレリーズスイッチ１２やプリントスイッチ１３等の各種操作スイッチを含む操作部、画像表示ＬＣＤ１５等に加え、同図に示すように、撮像素子１１２、撮像回路１１３、Ａ／Ｄ変換回路１１４、システムコントローラ１１５、メモリカードインターフェイス（Ｉ／Ｆ）１１６、内蔵メモリ１１７、表示回路１１８、画像処理部１１９、外部インターフェイス（Ｉ／Ｆ）１２０、圧縮伸長処理部１２１等が設けられている。
【００２４】
また、撮像装置１１には、前述のプリンタ部２３の構成要素として、図示のように、プリント画像生成部２０２、印刷機構部２０４、駆動制御回路２０５、駆動部２０６、及び前述したプリントカートリッジ２０７等が設けられている。さらに、システムコントローラ１１５には、プリント設定部１３１及び枠表示部１３２が接続されている。
【００２５】
撮影レンズ系２１ａは、撮影レンズ部２１を構成する光学系である。撮影レンズ系１１１、撮像素子１１２、撮像回路１１３、及びＡ／Ｄ変換回路１１４で撮像部が構成される。撮像素子１１２は、撮影光学系２１ａによって結像された被写体像を光電変換して電気的な画像信号に変換する固体撮像素子であり、色フィルタが配置されたＣＣＤエリアセンサ等から構成されている。撮像回路１１３は、撮像素子１１２を制御して、撮像素子１１２からの画像データの取り込みや、撮像素子１１２による素子シャッタ（電子シャッタ）の速度制御、撮像素子１１２から出力される画像信号のゲイン調整等を行う。撮像回路１１３から出力される画像信号は、Ａ／Ｄ変換回路１１４に送られ、そこでデジタル画像信号に変換される。
【００２６】
システムコントローラ１１５は、撮像装置１１内の各ユニットを制御するためのＣＰＵ等を含み、１チップマイコン等から構成されている。本実施の形態においては、システムコントローラ１１５は、ユーザによって指定されたプリント設定等のモードに応じて記録及びプリント処理の制御を実行する。
【００２７】
メモリカードインターフェイス（Ｉ／Ｆ）１１６は、着脱式のメモリカード１００をリード／ライトアクセスするためのものであり、このメモリカードインターフェイス１１６を介してメモリカード１００への画像データの書き込みや、メモリカード１００からの画像データの取り込みが行われる。
【００２８】
内蔵メモリ１１７は上記撮像部によって得られた撮像画像データを一時的に保持するために用いられるバッファ領域であり、撮像時には、撮像部から画像データが逐次読み出され、それが内蔵メモリ１１７に書き込まれる。また、この内蔵メモリ１１７は画像処理のための作業領域としても利用される。画像処理部１１９による色補正等の記録用の画像処理や、圧縮伸長処理部１２１による圧縮・伸長処理等は、記録用バッファーメモリ１１７上で実行される。また、プリント用画像データを得るためのリサイズやガンマ補正、色補正等のプリント用画像処理についても、内蔵メモリ１１７上で実行される。
【００２９】
外部インターフェイス１２０は、例えばＲＳ２３２ＣやＩＥＥＥ１３９４等の通信インターフェイスを介して外部のパーソナルコンピュータや他の電子機器と通信するためのものであり、各種制御情報や画像データを授受するために用いられる。圧縮伸長処理部１２１は、撮像された記録対象の画像データをＪＰＥＧ（Ｊｏｉｎｔ　Ｐｈｏｔｏｇｒａｐｈｉｃ　Ｃｏｄｉｎｇ　Ｅｘｐｅｒｔｓ　Ｇｒｏｕｐ）等の圧縮形式で圧縮したり、メモリカード１００から取り込んだ再生対象あるいは印刷対象の圧縮画像データを伸長したりする。
【００３０】
プリント画像生成部２０２は、内蔵メモリ１１７に格納された印刷対象の画像データに対して、プリント用に適した画像データを得るためのリサイズやガンマ補正、色補正等の各種画像処理を施すと共に、そのプリント用画像データを展開する。この展開された画像データは印刷機構部２０４に送られ、印刷機構部２０４は画像データに応じてプリント用紙２００に印刷を行う。なお、内蔵メモリ１１７に格納される印刷対象の画像には、これからメモリカード１００に記録しようとする未記録の画像だけでなく、メモリカード１００に既に記録され、読み出された画像も含まれる。また、画像表示ＬＣＤ１５には、未記録の画像がモニタ表示可能であるほか、メモリカード１００からの読み出し画像も表示可能であり、印刷対象の画像を画像表示ＬＣＤ１５上の表示で確認することもできる。
【００３１】
プリント設定部１３１は、画像を印刷する際のアスペクト比等の印刷に関する設定を行うのに用いられる。アスペクト比等の設定情報は、システムコントローラ１１５に供給される。枠表示部１３２は、光学ビューファインダ１４内において枠Ｗ（所定の枠）を表示する。なお、本実施の形態では、撮像素子１１２のアスペクト比は、ＣＣＤ等で一般的に使われている４：３であり、撮像素子１１２から読み出された画像信号はアスペクト比４：３のままで処理され圧縮処理されてメモリカード１００に記録されるものとする。
【００３２】
次に、表示画像及び枠表示のアスペクト比変更の動作について説明する。
【００３３】
印刷対象となっている画像の印刷時のアスペクト比（以下、「印刷アスペクト比」と称する）は、デフォルトとして４：３に設定されている。
【００３４】
まず、印刷アスペクト比の設定が４：３であるとして、プリント用紙２００としてアスペクト比４：３の用紙がセットされているとする。この場合は、撮像素子１１２から読み出された画像信号はアスペクト比４：３のままで処理され液晶パネル等の画像表示ＬＣＤ１５にアスペクト比４：３で表示され、アスペクト比４：３のままで画像圧縮処理されてメモリカード１００に記録される。また、この画像信号をプリントする際には、アスペクト比４：３のプリント用紙２００にプリントされ、撮像した画像の全領域がプリントされる。
【００３５】
次に、印刷アスペクト比の設定が４：３の状態から、プリント用紙２００としてアスペクト比３：１のパノラマタイプをセットし、印刷アスペクト比を３：１に設定変更すると、その印刷アスペクト比（３：１）の情報が、プリント設定部１３１からシステムコントローラ１１５に出力される。システムコントローラ１１５は、設定された印刷アスペクト比３：１と同じアスペクト比になるように表示回路１１８に制御信号を出力する。すると、表示回路１１８は、上記制御信号に従って、画像表示ＬＣＤ１５に表示すべき画像のアスペクト比（以下、「画面表示アスペクト比」と称する）がアスペクト比３：１と同じになるようなアスペクト比変更処理を行う。
【００３６】
このアスペクト比変更処理は、例えば、マスク処理により行われる。図４は、アスペクト比変更処理の態様の一例を示す図である。同図（ａ）は、画面表示アスペクト比の変更前（例えばアスペクト比４：３）を示し同図（ｂ）、（ｃ）は変更後を示す。設定された印刷アスペクト比が３：１の場合は、同図（ｂ）に示すように、表示画面の上下部分に黒色のマスク処理を施すことで、見かけ上、プリント用紙２００のアスペクト比３：１と同じになるような処理を行う。設定された印刷アスペクト比が１６：９のワイドＴＶタイプの場合は、同図（ｂ）に示すように、同様にマスク処理を施し、見かけ上、プリント用紙２００のアスペクト比１６：９と同じになるような処理を行う。
【００３７】
なお、画面表示アスペクト比を変更できる処理であれば、マスク処理で、画面表示アスペクト比を見かけ上変更する態様に限定されない。例えば、マスク処理は左右部分に施してもよいし、あるいはマスク処理に代えて、画面を縦または横方向に縮小する態様でもよい。
【００３８】
本実施の形態ではまた、光学ビューファインダ１４内に撮像される被写体の撮像範囲を示す枠Ｗが表示される。図５は、光学ビューファインダ１４内の枠Ｗの表示例を示す図である。枠Ｗは液晶表示されるが、複数種類の枠Ｗを切り替えて表示可能であれば、液晶表示に限定されず、例えば、予め各種アスペクト比に対応した枠Ｗが付加された透明板等を物理的に切り替え制御するような構成でもよい。
【００３９】
光学ビューファインダ１４内に表示される枠Ｗは、枠表示変更処理により、印刷アスペクト比の設定に応じて変更制御される。例えば、印刷アスペクト比が通常の４：３の状態では、図５（ａ）に示すように、光学ビューファインダ１４内に枠Ｗ１が表示されている。この状態から印刷アスペクト比がパノラマタイプである３：１に設定変更された場合は、その印刷アスペクト比（３：１）の情報が、プリント設定部１３１からシステムコントローラ１１５に出力される。システムコントローラ１１５は、設定された印刷アスペクト比３：１と同じアスペクト比の枠表示となるように枠表示部１３２を制御し、光学ビューファインダ１４内の枠表示の位置を制御する。その結果、図５（ｂ）に示すように、枠Ｗ１に代わり、アスペクト比３：１に対応する枠Ｗ２が光学ビューファインダ１４内に表示される。
【００４０】
印刷アスペクト比が１６：９のワイドＴＶタイプの場合は、図示はしないが、同様の処理により、アスペクト比１６：９に対応する枠Ｗが光学ビューファインダ１４内に表示される。
【００４１】
なお、上記画像表示ＬＣＤ１５におけるアスペクト比変更処理では、記録前及び記録済みの画像が表示され得るので、いずれの画像についても画面表示アスペクト比が変更され得るが、光学ビューファインダ１４における枠表示変更処理では、撮像時の未記録画像のみが光学ビューファインダ１４に表示されることから、記録済みの画像について印刷を行う際には、見える画像と枠表示変更との整合がとれない。従って、記録済みの画像が印刷対象となる場合は、枠表示変更処理は自動的に停止されるようにするのが望ましい。
【００４２】
本実施の形態によれば、設定された印刷アスペクト比に応じて画像表示ＬＣＤ１５に表示される画像のアスペクト比を変更するようにしたので、記録済み画像やこれから撮像しようとする被写体像に関し印刷される画像範囲が画像表示ＬＣＤ１５上で明確にわかる。従って、例えば、ユーザが記憶済み画像を印刷しようとするときや風景等をこれから撮像しようとするとき、画像表示ＬＣＤ１５に表示されている画像のアスペクト比が印刷時のアスペクト比と同じであるので、画像表示ＬＣＤ１５で確認した画像と同じ範囲がプリントされることになり、構図を決めやすくなる。よって、印刷時や撮像時に最適な構図を容易に判断することができる。
【００４３】
また、設定された印刷アスペクト比に応じて光学ビューファインダ１４内の枠表示を変更するようにしたので、これから撮像しようとする被写体像に関し印刷される画像範囲が光学ビューファインダ１４で明確にわかる。従って、撮像時に最適な構図を容易に判断することができる。
【００４４】
なお、ユーザの所望により、画像表示ＬＣＤ１５におけるアスペクト比変更処理と光学ビューファインダ１４における枠表示変更処理のいずれかを選択的に実行させるように構成してもよい。
【００４５】
（第２の実施の形態）
第１の実施の形態では、印刷アスペクト比はプリント設定部１３１で設定されるとしたが、本第２の実施の形態では、装着されるプリントカートリッジ２０７にプリント用紙２００のアスペクト比を表す情報が予め付加されている場合の制御について説明する。従って、プリントカートリッジ２０７のアスペクト比情報がシステムコントローラ１１５に供給される構成を除けば、装置構成、アスペクト比変更処理、枠表示変更処理は第１の実施の形態と同様である。
【００４６】
なお、システムコントローラ１１５が制御に用いる印刷アスペクト比として、プリント設定部１３１で設定される印刷アスペクト比を適用するマニュアルモードと、プリントカートリッジ２０７に付加された印刷アスペクト比を適用する自動モードとを任意に設定可能に構成してもよい。このようにした場合は、マニュアルモードでは第１の実施の形態で説明した制御態様となり、自動モードでは、以下に説明する制御態様となる。
【００４７】
図６は、本実施の形態におけるプリントカートリッジ２０７を示す図である。プリントカートリッジ２０７には、収容されているプリント用紙２００のアスペクト比を表す情報（以下、「アスペクト比情報」と称する）が予め付加設定されている。アスペクト比情報の付加は、例えば同図（ａ）に示すように、プリントカートリッジ２０７の外縁部の一部に所定の切り欠き形状Ｍを付加することによって実現される。あるいは、同図（ｂ）に示すように、プリントカートリッジ２０７の一部に所定の電極Ｅを印刷することによっても実現可能である。なお、アスペクト比情報の付加の態様は、これらに限定されない。
【００４８】
プリントカートリッジ２０７が装着されたとき、アスペクト比情報は、プリントカートリッジ２０７が図６（ａ）の例のような場合は切り欠き形状Ｍから機械的に読み出され、図６（ｂ）の例のような場合は電極Ｅから電気的に読み出される。そして、読み出されたアスペクト比情報がシステムコントローラ１１５に供給されることで、システムコントローラ１１５は装着されたプリント用紙２００のアスペクト比を把握する。
【００４９】
システムコントローラ１１５は、アスペクト比情報で規定されるアスペクト比と同じアスペクト比になるように、表示回路１１８に制御信号を出力する。その後の処理は、第１の実施の形態におけるアスペクト比変更処理と同様である。システムコントローラ１１５はまた、アスペクト比情報で規定されるアスペクト比と同じアスペクト比になるように枠表示部１３２を制御し、第１の実施の形態における枠表示変更処理と同様に、光学ビューファインダ１４内の枠表示の位置を制御する。
【００５０】
例えば、プリント用紙２００のアスペクト比が３：１であるパノラマタイプが収容されているプリントカートリッジ２０７が本体に装着された場合は、読み出した３：１のアスペクト比情報がシステムコントローラ１１５に出力され、上記のような処理の結果、画像表示ＬＣＤ１５には図４（ｂ）に例示するような画面表示が、光学ビューファインダ１４内には図５（ｂ）に例示するような枠表示が、それぞれ第１の実施の形態と同様になされる。
【００５１】
本実施の形態によれば、印刷時や撮像時に最適な構図の判断を容易にすることに関し、第１の実施の形態と同様の効果を奏するだけでなく、ユーザが印刷アスペクト比を逐一設定しなくても、アスペクト比情報付きのプリントカートリッジ２０７を装着するだけで、プリント用紙２００のアスペクト比に合った画面表示及びファインダ内の枠表示がなされるので、使い勝手が向上する。
【００５２】
なお、第１、第２の実施の形態において、光学ビューファインダ１４内に枠を表示することで、印刷アスペクト比が認識されるようにしたが、これに限るものでなく、印刷アスペクト比に相当する領域が認識できるような領域表示であれば、例えば、上下、左右のマスキング等、枠表示以外の他の構成を採用してもよい。
【００５３】
また、本発明の目的は、実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００５４】
この場合、記憶媒体から読み出されたプログラムコード自体が前述した実施の形態の機能を実現することになり、そのプログラムコードを記憶した記憶媒体は本発明を構成することになる。
【００５５】
又、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００５６】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００５７】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００５８】
【発明の効果】
以上説明したように、本発明によれば、最適な構図の判断を容易にすることができる。
【図面の簡単な説明】
【図１】本発明の第１の実施の形態に係る撮像装置の外観図である。
【図２】図１のＡ−Ａ線に沿う断面を上方からみた図である。
【図３】本撮像装置のシステム構成を示すブロック図である。
【図４】アスペクト比変更処理の態様の一例を示す図である。
【図５】光学ビューファインダ内の枠Ｗの表示例を示す図である。
【図６】本発明の第２の実施の形態で用いられるプリントカートリッジを示す図である。
【符号の説明】
１４　光学ビューファインダ（光学的ビューファインダ部）
１５　画像表示ＬＣＤ（表示部）
２３　プリンタ部（用紙装着手段）
１１２　撮像素子（撮像手段）
１１５　システムコントローラ（表示アスペクト比変更手段、用紙アスペクト比検出手段、領域表示変更手段）
１３１　プリント設定部（印刷アスペクト比設定手段）
１３２　枠表示部（領域表示手段）
２００　プリント用紙（印刷用紙）
２０４　印刷機構部（印刷手段）
２０７　プリントカートリッジ（用紙カートリッジ）
【図１】
2004104498.tif 000003
【図２】
2004104498.tif 000004
【図３】
2004104498.tif 000005
【図４】
2004104498.tif 000006
【図５】
2004104498.tif 000007
【図６】
2004104498.tif 000008